(57)【要約】      （修正有）【課題】手作業であっても、材料費用や製作費用、製作時間を抑えることができる御朱印帳を提供する。【解決手段】一方向に長尺な矩形の形状をなし、長手方向に同一幅で複数回蛇腹折りされた複数の台紙基材２１と、複数の台紙基材２１の端片２１１ａ同士を貼り合わせて形成される複数の第一貼着部２１３１と、複数の台紙基材２１の端から二番目の折片２１２と複数の台紙基材２１の端片２１１ｂとを貼り合わせて形成される複数の第二貼着部２１３２とを有し、複数の台紙基材２１から、短手方向に同一幅で長手方向に延伸した台紙とし、複数の台紙基材２１の端部を接着剤で固定し、台紙は順目方向に折り畳む。【選択図】図２
0003203622.tif 000002
【実用新案登録請求の範囲】
【請求項１】
一方向に長尺な矩形の形状をなし、長手方向に同一幅で複数回蛇腹折りされた複数の台紙基材と、
前記複数の台紙基材の端片同士を貼り合わせて形成される複数の第一貼着部と、前記複数の台紙基材の端から二番目の折片と前記複数の台紙基材の端片とを貼り合わせて形成される複数の第二貼着部とを有し、前記複数の台紙基材から、短手方向に同一幅で長手方向に延伸する、長手方向に同一幅で複数回蛇腹折りされた二層の台紙が形成されるよう貼り合わされた貼着部と、
前記貼着部を介して長手方向に延伸する二層の台紙の一層になっている両端片のうち、一方の端片が貼り合わされたおもて表紙と、
前記両端片の他方の端片が貼り合わされたうら表紙と、
を備える御朱印帳。
【請求項２】
請求項１に記載の御朱印帳であって、さらに、
前記複数の台紙基材の重畳箇所において、前記貼着部の他に、相互に貼り合わされた第三貼着部を備える御朱印帳。
【請求項３】
請求項１又は請求項２に記載の御朱印帳であって、
前記台紙は台紙基材の端部を接着剤で固定してなる御朱印帳。
【請求項４】
請求項１〜３のいずれか一に記載の御朱印帳であって、
前記台紙は奇数回折り畳まれている御朱印帳。
【考案の詳細な説明】
【技術分野】
【０００１】
本考案は、従来品と比べ低コスト、短時間で製作できる御朱印帳に関する。
【背景技術】
【０００２】
西国三十三所霊場や四国八十八箇所霊場に代表される霊場は、古くから信仰の対象になっており、今日ではお遍路や修験者に限らず一般庶民の参拝者も多い。そして、霊場巡礼においては、参拝の証として、札所寺院毎に朱印が授けられる。これらの朱印を集め保存する方法として御朱印帳が使用されており、参拝者の増加に伴い御朱印帳の需要が高まっている。
【０００３】
例えば特許文献１には、台紙と透明シートとの間に御朱印を挟むことができる御朱印帳が開示されている。
【先行技術文献】
【特許文献】
【０００４】
【特許文献１】実用新案登録第３１９９２７８号公報
【考案の概要】
【考案が解決しようとする課題】
【０００５】
しかしながら、従来の御朱印帳の台紙は、長手方向に同一幅で一回山折りされた複数の台紙基材を互い違いに貼り合わせるといった方法で製作されているため、台紙基材の、貼り合わせ回数や切断回数が必然的に増え、材料費用や製作費用、製作時間が多くかかるという問題があった。
【０００６】
本考案は、従来のこのような問題点に鑑みてなされたものである。本考案の目的の一は、手作業であっても、材料費用や製作費用、製作時間を抑えることができる御朱印帳を提供することにある。
【課題を解決するための手段及び考案の効果】
【０００７】
本考案の第１の側面に係る御朱印帳によれば、一方向に長尺な矩形の形状であって、長手方向に同一幅で複数回蛇腹折りされた複数の台紙基材と、短手方向に同一幅であって、二層で長手方向に延伸され、長手方向に同一幅で複数回蛇腹折りされた台紙が形成されるよう、前記複数の台紙基材の端片同士を貼着した第一貼着部と、前記複数の台紙基材の端片から二番目の折片と前記複数の台紙基材の端片とを貼着した第二貼着部と、を有する貼着部と、前記貼着部を介して長手方向に延伸する二層の台紙の一層になっている両端辺のうち、一端片が貼り合わされたおもて表紙と、前記両端辺の他方の端片が貼り合わされたうら表紙と、を備えることができる。前記構成により、例えば、台紙基材の製作時において、一枚物の紙をその紙の目に沿って同一幅の折り目を付けた後、紙の目に対して垂直方向に所定幅で切断し、定着部で貼り合わせることで台紙を製作することが出来る。すなわち、一方向に長尺な矩形の形状であって、長手方向に同一幅で一回山折りされた複数の台紙基材を互い違いに貼り合わせた従来品と比べ、台紙基材の、貼り合わせ回数や切断回数が減少するため、手作業であっても、材料費用や製作費用、製作時間を抑えることができる。
【０００８】
また、本考案の第２の側面に係る御朱印帳によれば、さらに、前記複数の台紙基材の重畳箇所において、前記貼着部の他に、相互に貼り合わされた第三の貼着部を備えることができる。前記構成により、二層からなる台紙が使用中に散逸することを防ぐことができる。
【０００９】
さらにまた、本考案の第３の側面に係る御朱印帳によれば、前記台紙は台紙基材の端部を接着剤で固定してなるよう構成できる。
【００１０】
さらにまた、本考案の第４の側面に係る御朱印帳によれば、前記台紙は奇数回折り畳まれるよう構成できる。
【図面の簡単な説明】
【００１１】
【図１】本考案に係る御朱印帳の全体構成を示す概略図である。
【図２】台紙の貼り合わせ位置の説明図である。
【図３】台紙を貼着した後の図である。
【図４】本考案に係る御朱印帳の分解図である。
【考案を実施するための形態】
【００１２】
以下、本考案の実施の形態を図面に基づいて説明する。ただし、以下に示す実施の形態は、本考案の技術思想を具体化するための例示であって、本考案は以下のものに特定されない。また、本明細書は実用新案登録請求の範囲に示される部材を、実施の形態の部材に特定するものでは決してない。特に実施の形態に記載されている構成部品の寸法、材質、形状、その相対的配置等は特に特定的な記載がない限りは、本考案の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本考案を構成する各要素は、複数の要素を同一の部材で構成して一の部材で複数の要素を兼用する態様としてもよいし、逆に一の部材の機能を複数の部材で分担して実現することもできる。
（御朱印帳１の構成）
【００１３】
以下、本考案を適用した具体的な実施の形態について、図面を参照しながら詳細に説明する。本考案は、例えば図１に示すような構成の御朱印帳１に適用される。図１は、御朱印帳１の全体構成を示す概略図である。御朱印帳１は、御朱印を押印するための台紙２と、台紙２の後述する両端片２１１ａのうち、一端片に貼り合わせるおもて表紙３と、両端片２１１ａの他方の端片に貼り合わせるうら表紙４とを主要部として備える。
【００１４】
台紙２は、複数の台紙基材２１を備える。
【００１５】
複数の台紙基材２１は、例えば、Ｂ０サイズで短手方向に紙の目がある一枚物の和紙に、所定の同一幅、且つ、紙の目に沿うように折り目が付けられ、折り目に対して垂直方向に切断され、長手方向に同一幅で複数回蛇腹折りされて得られる。
【００１６】
また、複数の台紙基材２１のそれぞれは、図２に示すように、端片２１１ａ，２１１ｂと、端片２１１ａ，２１１ｂとを繋ぐ複数の折片２１２と、複数の台紙基材２１のそれぞれを貼り合わせる貼着部２１３とを備える。
【００１７】
貼着部２１３は、図２に示すように、複数の台紙基材２１の端片２１１ａ同士を貼り合わせて形成される複数の第一貼着部２１３１と、複数の台紙基材２１の端から二番目の折片２１２と複数の台紙基材２１の端片２１１ｂとを貼り合わせて形成される複数の第二貼着部２１３２とを備える。これにより、図３に示すように、台紙２は、複数の台紙基材２１により短手方向に同一幅で長手方向に延伸する二層構造となり、両端片２１１ａはそれぞれ端片１枚分ずつの一層構造となる。
【００１８】
ここで、第一貼着部２１３１は、例えば、接着剤Ｇを介して貼り合わせることができ、端片２１１ａの端部に接着剤Ｇを塗布すると、最小限の接着剤Ｇで貼り合わせることができ、端片２１１ａの全面に塗布すると、よりしっかり貼り合わせることができる。また、第二貼着部２１３２においては、端片２１１ｂの端部に接着剤Ｇを塗布して折片２１２に貼り合わせると、最小限の接着剤Ｇで貼り合わせることができ、端片２１１ｂの全面に塗布して、折片２１２に貼り合わせると、よりしっかり貼り合わせることができる。
【００１９】
なお、図３に示すように、貼着部２１３は、二層構造の複数の台紙基材２１の重畳箇所において、第一貼着部２１３１及び第二貼着部２１３２の他に、相互に貼り合わされた第三貼着部２１３３を備える構成としても良く、その場合、二層に重ね合わされた複数の台紙基材２１が使用中に散逸することを防ぐことができる。
【００２０】
表紙３は、図４に示すように、例えば、厚紙からなり、台紙２の端片２１１ａと略同形同大であり、台紙２の一層になっている両端片２１１ａのうち、一端片に貼り合わされる。
【００２１】
うら表紙４は、図４に示すように、例えば、厚紙からなり、台紙２の端片２１１ａと略同形同大であり、台紙２の一層になっている両端片２１１ａのうち、表紙３と貼り合わされていない側の端片に貼り合わされる。
【００２２】
ここで、御朱印帳１のサイズは、御朱印帳の一般的なサイズである１１０ｍｍ×１６０ｍｍや、１２０ｍｍ×１８０ｍｍが好適であるが、その他所望のサイズとしてもよく、上記サイズに限定されない。
（御朱印帳１の製造方法）
【００２３】
続いて、本考案の御朱印帳１の製造方法について説明する。
【００２４】
先ず、一枚物の和紙に所定の同一幅、且つ、紙の目に沿うように折り機を用いて紙の目に沿うように折り目を付ける。
【００２５】
次に、折り目を付けた一枚物の和紙を、所定の同一幅、且つ、紙の目に対して垂直方向に、裁断機を用いて切断する。この作業により、長手方向に同一幅で複数回折り目が付けられた、同形同大の複数の台紙基材２１を同時に製造することができる。
【００２６】
次に、図２に示すように、上記作業によって得た、複数回折り目が付けられた複数の台紙基材２１の端片２１１ａ同士を貼り合わせて第一貼着部２１３１を形成し、また、複数の台紙基材２１の端から二番目の折片２１２と複数の台紙基材２１の端片２１１ｂとを貼り合わせて第二貼着部２１３２を形成して、短手方向に同一幅で長手方向に延伸する二層構造であって、両端片２１１ａはそれぞれ端片１枚分ずつの一層構造の台紙２を得る。これにより、一方向に長尺な矩形の形状であって、長手方向に同一幅で一回山折りされた複数の台紙基材を互い違いに貼り合わせた従来品と比べ、台紙基材の、貼り合わせ回数や切断回数が減少するため、手作業であっても、材料費用や製作費用、製作時間を抑えることができる。
【００２７】
なお、二層構造の複数の台紙基材２１の重畳箇所を相互に貼り合わす第三貼着部２１３３を形成しても良く、その場合、二層に重ね合わされた複数の台紙基材２１が使用中に散逸することを防ぐことができる。
【００２８】
次に、台紙２を折り目に沿って蛇腹状に折り畳む。
【００２９】
最後に、図４に示すように、台紙２の一層である両端片２１１ａのそれぞれに、おもて表紙３とうら表紙４を貼着する。
【００３０】
以上の通り、本考案によれば、手作業であっても、材料費用や製作費用、製作時間を抑えることができる御朱印帳を提供することができる。
【００３１】
なお、本考案は前述した実施の形態のみに限定されるものではなく、本考案の要旨を逸脱しない範囲において種々の変更が可能であることは勿論である。
【符号の説明】
【００３２】
１…御朱印帳、２…台紙、２１…台紙基材、２１１ａ，２１１ｂ…端片、２１２…折片、２１３…貼着部、２１３１…第一貼着部、２１３２…第二貼着部、２１３３…第三貼着部、３…おもて表紙、４…うら表紙
【図１】
0003203622.tif 000003
【図２】
0003203622.tif 000004
【図３】
0003203622.tif 000005
【図４】
0003203622.tif 000006